(57)【特許請求の範囲】
【請求項１】
消火薬剤が充填された本体容器の上方ヘッド部に枢軸回りに開閉回動自在に枢着され、その閉回動操作により前記消火薬剤を放出する起動レバーと、この起動レバーの下側において起立姿勢と傾倒姿勢とにわたって枢軸回りに回動自在に枢着され起立姿勢で前記起動レバーを開き状態にロックするレバー支持部材とを備えた消火器において、前記起動レバーに設けた開口にこれの上方から抜き差し可能に差し込まれ、その差し込みにより前記起立姿勢のレバー支持部材に挿入係合して前記起動レバーの閉回動を規制する安全栓であって、
前記安全栓は、
前記起動レバーからレバー支持部材にわたって抜き差し可能に差し込まれる金属製ピンと、この金属製ピンの上端に備えられる樹脂製把手と、を分解可能に組み合わせてなり、
前記金属製ピンは、
直線部と、前記直線部の上端に連続して形成された円弧部と、を有する形に形成され、この金属製ピンが前記樹脂製把手に抜き差し可能に結合されており、
前記樹脂製把手は、
リング状に形成されたリング部を有し、
前記リング部に前記金属製ピンの直線部が抜き差し可能に挿入される縦孔を形成する
とともに、
前記リング部の外周上部に、前記金属製ピンの円弧部が取り出し可能に嵌め込まれる上方開放状の凹溝を前記縦孔の開口上端側に連通するよう形成し、
前記凹溝の上方開放部を開閉自在とする蓋部材を前記リング部に備えていることを特徴とする、消火器の安全栓。
【請求項２】
前記蓋部材の一部が、前記リング部に薄肉の一体成形ヒンジでつながれている、請求項１記載の消火器の安全栓。
【発明の詳細な説明】
【技術分野】
【０００１】
本発明は、加圧式や蓄圧式等の消火器の安全栓に係り、より詳しくはリサイクル対策を講じた安全栓に関する。
【背景技術】
【０００２】
従来、加圧式や蓄圧式等の消火器は、例えば、図５に示すように、消火薬剤が充填された本体容器３０の上方ヘッド部に枢軸３１回りに開閉回動自在に枢着され、その閉回動操作により消火薬剤を放出する起動レバー３２と、この起動レバー３２の下側において起立姿勢と傾倒姿勢とにわたって枢軸３３回りに回動自在に枢着され起立姿勢で起動レバー３２を開き状態にロックするレバー支持部材３４とを備え、これら起動レバー３２とレバー支持部材３４には起動レバー３２の不時の作動を防止するために安全栓３５が取り付けられている。
安全栓３５は、省令における強度に対する要求基準を全体が樹脂のみによる成形品では達成することができないという理由から、金属製ピン３６と樹脂製把手３７とで構成されている。すなわち、金属製ピン３６は概ねβ形状に形成されて２本の直線部３６ａ、３６ｂと、この直線部３６ａ、３６ｂの上端に連続して環状に曲げられた環状部３６ｃとを有し、その環状部３６ｃが樹脂製把手３７に一体にインサート成形されている。そして、安全栓３５は樹脂製把手３７を持って２本の直線部３６ａ、３６ｂを起動レバー３２の上壁部に前後に設けた開口３８、３９にこれの上方から差し込み、更にレバー支持部材３４の栓受け溝４０、４１に挿入係合し、これにより該レバー支持部材３４の傾倒を防止し起動レバー３２の不時の作動を防止している（例えば、特許文献１、２参照。）。
【０００３】
【特許文献１】実公昭６２−４３５７１号公報
【特許文献２】特開２００４−３５８０４３号公報
【発明の開示】
【発明が解決しようとする課題】
【０００４】
社会全般に資源の節約や環境汚染防止などの問題が重要視されてきた昨今において、消火器に関してもリサイクル対策に対する要望が強くなってきた。しかしながら、金属製ピン３６を樹脂製把手３７に一体にインサート成形した上記安全栓３５では、不用品・廃棄物として回収されてきても金属製ピン３６と樹脂製把手３７の分離が困難であるため、再生利用することができず、廃棄され、上記要望に対して適切な対応が図られていないのが実情である。
【０００５】
本発明は、上記のような問題を解消するためになされたものであり、その目的とするところは、上記のような、金属製ピンと樹脂製把手からなる安全栓において、金属製ピンと樹脂製把手とを容易に分解可能にすることにより再生利用の実現化を図れる消火器の安全栓を提供することにある。
【課題を解決するための手段】
【０００６】
本発明は、請求項１に記載のように、消火薬剤が充填された本体容器の上方ヘッド部に枢軸回りに開閉回動自在に枢着され、その閉回動操作により前記消火薬剤を放出する起動レバーと、この起動レバーの下側において起立姿勢と傾倒姿勢とにわたって枢軸回りに回動自在に枢着され起立姿勢で前記起動レバーを開き状態にロックするレバー支持部材とを備えた消火器において、前記起動レバーに設けた開口にこれの上方から抜き差し可能に差し込まれ、その差し込みにより前記起立姿勢のレバー支持部材に挿入係合して前記起動レバーの閉回動を規制する安全栓であって、前記安全栓は、前記起動レバーからレバー支持部材にわたって抜き差し可能に差し込まれる金属製ピンと、この金属製ピンの上端に備えられる樹脂製把手と、を分解可能に組み合わせてなり、前記金属製ピンは、直線部と、前記直線部の上端に連続して形成された円弧部と、を有する形に形成され、この金属製ピンが前記樹脂製把手に抜き差し可能に結合されており、前記樹脂製把手は、リング状に形成されたリング部を有し、前記リング部に前記金属製ピンの直線部が抜き差し可能に挿入される縦孔を形成するとともに、前記リング部の外周上部に、前記金属製ピンの円弧部が取り出し可能に嵌め込まれる上方開放状の凹溝を前記縦孔の開口上端側に連通するよう形成し、前記凹溝の上方開放部を開閉自在とする蓋部材を前記リング部に備えていることに特徴を有するものである。
このような構成によれば、金属製ピンと樹脂製把手とを分解することにより、金属製ピンと樹脂製把手とを再生利用することができる。
これによれば、金属製ピンを樹脂製把手から抜き出すことにより両者を容易に分解することができる。
さらに、金属製ピンの直線部を樹脂製把手の縦孔に差し込むと共に円弧部を凹溝に嵌め込み、凹溝を蓋部材で閉じることにより金属製ピンと樹脂製把手を容易に組み立てることができ、この組み立て状態では樹脂製把手に対し金属製ピンを確実に保持できて金属製ピンと樹脂製把手が不測に分離するのを防止できる。
また、蓋部材を開けて金属製ピンの円弧部を樹脂製把手の凹溝から取り出すとともに直線部を縦孔から抜き出すことにより金属製ピンと樹脂製把手とを容易に分解することができる。
【０００７】
【０００８】
【０００９】
請求項１記載の消火器の安全栓は、請求項２記載のように、前記蓋部材の一部が、前記リング部に薄肉の一体成形ヒンジでつながれているものとすることができる。これによれば、蓋部材の紛失を防止できる。
【発明の効果】
【００１０】
本発明によれば、従来廃棄物として処理されていた金属製ピンと樹脂製把手とを容易に分解することができるので、これら金属製ピンと樹脂製把手を再生利用することができる。
【発明を実施するための最良の形態】
【００１１】
以下、本発明の好適な実施形態を図面に基づき説明する。図１、図２は本発明の一実施例に係る消火器の安全栓を消火器の上方ヘッド部に取り付けた状態で示す縦断側面図、図２は安全栓を引き抜いた直後の状態を図１に相応して示す縦断面図、図３は蓋部材の開き状態で示す安全栓の平面図である。
【００１２】
本発明の対象とする消火器の全体的な基本構成については従来の標準タイプの加圧式消火器や蓄圧式消火器と同じである。図１では加圧式消火器を示しており、消火薬剤が充填される本体容器１の上方ヘッド部にはバルブ２が取り付けられ、バルブ２の下面側には消火薬剤を放射する圧力源である加圧用ガス容器３が固定されている。加圧用ガス容器３の上方のバルブ２内には、使用時に後述する起動レバー８の閉回動操作に伴い加圧用ガス容器３の封板４を突き破るために下端５ａを尖らせた破壊用針棒５が上下動自在に組み込まれている。
【００１３】
バルブ２の上部には固定レバー６と、この固定レバー６の上方に対向配備され、該固定レバー６の前端側の基部に枢軸７により前端側の基部を開閉回動自在に枢着した起動レバー８とが設けられている。起動レバー８は上壁部８ａと両側壁部８ｂ、８ｂとを有する断面下方開放状の溝形状に形成されている。破壊用針棒５の上端部は起動レバー８の基部寄りの一部８ｃに係止されている。
【００１４】
起動レバー８の不時の作動を防止するために、レバー支持部材９と、このレバー支持部材９の倒れを防止するための安全栓１０とが設けられている。
レバー支持部材９は、耐摩耗性に優れるポリアセタール系樹脂やポリアミド系樹脂等のプラスチック成形品であって、その上方が自由上端部９ａとされ、前後に栓受け溝１１、１２が上下縦方向に形成されている。レバー支持部材９は、起動レバー８の下側において、その下端基部９ｂが固定レバー６に対して枢軸１３をもって枢着されている。かくして、レバー支持部材９は、自由上端部９ａを起動レバー８の上壁部８ａの下面に対し突っ張り状態に当接して該起動レバー８を開き姿勢にロックする起立姿勢と、起動レバー８の閉じ回動に伴い自由上端部９ａが上壁部８ａの下面を滑りながら固定レバー６の上に倒れる傾倒姿勢とにわたって枢軸１３回りに回動自在である。
【００１５】
図１、図３に示すように、安全栓１０は、金属製ピン１４と、この金属製ピン１４の上端に備えられる樹脂製把手１５とを分解可能に組み立ててなる。金属製ピン１４は、直線部１４ａとこの直線部１４ａの上端に連続して形成された円弧部１４ｂとを有する形に形成され、この金属製ピン１４が樹脂製把手１５に抜き差し可能に結合される。
【００１６】
樹脂製把手１５はリング状に形成されたリング部１５ａを有し、このリング部１５ａに金属製ピン１４の直線部１４ａを抜き差し可能に挿入することのできる縦孔１６を形成し、かつ、該リング部１５ａの外周上部に金属製ピン１４の円弧部１４ｂを取り出し可能に嵌め込むことのできる上方開放状の凹溝１７を縦孔１６の開口上端側に連通するよう形成している。また、凹溝１７の上方開放部はリング部１５ａに薄肉の一体成形ヒンジ１８でつながれている蓋部材１９で開閉自在とされる。リング部１５ａの凹溝１７と蓋部材１９には、蓋部材１９の閉じ状態を確実に保持し且つ蓋部材１０の開きを可能にする為に、蓋部材１９を一体成形ヒンジ１８を支点として開閉するときに互いに離脱・係合する小さい凹凸部２０、２１を設けている。なお、樹脂製把手１５のリング部１５ａの下面側には金属製ピン１４の直線部１４ａよりも短い差込ピン２２を直線部１４ａの前側に対向するよう下向きに一体に突設してあり、またリング部１５ａの下端の前側には起動レバー８の上壁部８ａ上に着座する張出部２３を前方へ張り出すよう一体に形成している。
【００１７】
かくして、金属製ピン１４は直線部１４ａを樹脂製把手１５の縦孔１６に差し込むとともに、円弧部１４ｂを凹溝１７に嵌め込み、凹溝１７の上方開放部を蓋部材１９で閉じることにより、金属製ピン１４と樹脂製把手１５が金属製ピン１４の直線部１４ａの下端部をリング部１５ａの下方へ突出するように組み立てられる。
【００１８】
上記安全栓１０を消火器の上方ヘッド部に取り付けるには、図１に示すように、樹脂製把手１５の差込ピン２２と金属製ピン１４の直線部１４ａを起動レバー８の上壁部８ａに前後に設けた開口２４、２５にこれの上方から差し込むとともに、起立姿勢のレバー支持部材９の栓受け溝１１、１２に挿入係合する。これにより該レバー支持部材９の傾倒が防止され起動レバー８の不時の作動が防止される。なお、起動レバー８には、安全栓１０の引抜きを確認するための封じ部材である封じ紙２６が安全栓１０の張出部２３を跨いで貼付される。これは安全栓１０を引き抜くと、封じ紙２６のミシン目加工部が破れるようになっている。
【００１９】
上記構成の消火器の安全栓によれば、金属製ピン１４の直線部１４ａを樹脂製把手１５の縦孔１６に差し込むと共に円弧部１４ｂを凹溝１７に嵌め込み、凹溝１７を蓋部材１９で閉じることにより金属製ピン１４と樹脂製把手１５を容易に組み立てることができる。この組み立て状態では、金属製ピン１４の直線部１４ａが樹脂製把手１５の縦孔１６に挿入されていると共に、円弧部１４ｂが凹溝１７に嵌め込まれて蓋部材１９で押さえられているため、樹脂製把手１５に対し金属製ピン１４を確実に保持できて金属製ピン１４が樹脂製把手１５から不測に離脱するのを防止できる。
また、蓋部材１９を開けて金属製ピン１４の円弧部１４ｂを樹脂製把手１５の凹溝１７から取り出すとともに、直線部１４ａを縦孔１６から抜き出すことにより金属製ピン１４と樹脂製把手１５とを容易に分解することができる。したがって、従来廃棄物として処理されていた金属製ピン１４と樹脂製把手１５を分別し易くリサイクルに即応できる。
【００２０】
上記実施例では、蓋部材１９が樹脂製把手１５のリング部１５ａに薄肉の一体成形ヒンジ１８でつながれているため紛失防止できて有利であるが、リング部１５ａとは別体に成形される蓋部材で凹溝１７を開閉するようにすることもできる。
また、樹脂製把手１５のリング部１５ａの下面側に差込ピン２２を設けて金属製ピン１４の直線部１４ａと協働してレバー支持部材９の傾倒を確実に阻止しているが、金属製ピン１４の直線部１４ａをレバー支持部材９の栓受け溝１２に挿入係合させるだけでも該レバー支持部材９の傾倒を阻止できるため、この差込ピン２２は必ずしも必要とするものではない。
【００２１】
金属製ピン１４と樹脂製把手１５とを分解可能に組み合わせる手段としては、上記構造のほかに、たとえば、図４に他例の安全栓の背面図を示すように、安全栓１０は樹脂製把手１５を左右に二つ割りし、金属製ピン１４の直線部１４ａの上端部及び円弧部１４ｂを抱き合わせ可能な断面形状を有する形の分割把手１５１、１５２を成形し、この分割把手１５１、１５２をこの合わせ面１５１ａ、１５２ａ間で金属製ピン１４の直線部１４ａの上端部及び円弧部１４ｂを抱き合わせるようにかつ開閉可能に合わせるものとすることもできる。この場合、分割把手１５１、１５２の合わせ面１５１ａ、１５２ａに、分割把手１５１、１５２を開閉させるときに互いに離脱・係合する小さい凹凸部２７、２８を設けている。金属製ピン１４と樹脂製把手１５を分解するときは、分割把手１５１、１５２の合わせ面１５１ａ、１５２ａを開離するとともに、凹凸部２７、２８の係合状態を解除して離脱させることにより両者を分解させることができる。
【図面の簡単な説明】
【００２２】
【図１】本発明の一実施例に係る消火器の安全栓を消火器の上方ヘッド部に取り付けた状態で示す縦断側面図である。
【図２】安全栓を抜いた直後の状態を図１に相応して示す縦断側面図である。
【図３】蓋部材の開き状態で示す安全栓の平面図である。
【図４】他の実施例を示す消火器の安全栓の背面図である。
【図５】従来例の消火器の安全栓の縦断側面図である。
【符号の説明】
【００２３】
７  枢軸
８  起動レバー
９  レバー支持部材
１０  安全栓
１２  栓受け溝
１３  枢軸
１４  金属製ピン
１４ａ  直線部
１４ｂ  円弧部
１５  樹脂製把手
１５ａ  リング部
１６  縦孔
１７  凹溝
１８  一体成形ヒンジ
１９  蓋部材
２５  開口
【図１】
0004839100.tif 000002
【図２】
0004839100.tif 000003
【図３】
0004839100.tif 000004
【図４】
0004839100.tif 000005
【図５】
0004839100.tif 000006